(57)【要約】【課題】印刷機のチョッパ折り装置において、用紙の搬送速度が増大した場合にも、チョッパテーブル上での用紙のばたつきやあばれを抑えて、きずや破れの発生を防止する。【解決手段】搬送されてくる用紙１をストッパ２によりチョッパテーブル７上で止め、該チョッパテーブル面に用紙１の搬送方向ａに沿って穿設され該搬送方向と直角方向に移動可能な折込みスリット７ａにチョッパブレード３で用紙１を折込み、該チョッパテーブルの下方に配置された折込みローラによって用紙１を搬送方向と平行に折り目を付けるチョッパ折り方法において、折込みスリット７ａの用紙搬送方向ａと直角方向の移動幅領域ｂでストッパ２に隙間をもたせ、該隙間のうち折込みスリット７ａの位置に対応しない隙間領域を、チョッパブレード３に接触しない退避位置に退避可能なストッパ部材２１〜２３で遮蔽するようにした。【選択図】図１
2007314326.tif 000002
【特許請求の範囲】
【請求項１】
搬送されてくる用紙をストッパによりチョッパテーブル上で止め、該チョッパテーブル面に用紙の搬送方向に沿って穿設され該搬送方向と直角方向に移動可能な折込みスリットにチョッパブレードで用紙を折込み、
該チョッパテーブルの下方に配置された折込みローラによって用紙を搬送されてきた方向と平行に折り目を付けるチョッパ折り方法において、
前記折込みスリットの用紙搬送方向と直角方向の移動幅領域で前記ストッパに隙間をもたせ、
前記隙間のうち前記折込みスリットの設置位置に対応しない隙間領域に遮蔽部材を配置して遮蔽するようにしたことを特徴とするチョッパ折り方法。
【請求項２】
前記移動幅領域以外で少なくとも用紙の幅に相当する領域全域に亘り隙間なくストッパを配置したことを特徴とする請求項１記載のチョッパ折り方法。
【請求項３】
前記遮蔽部材を該遮蔽部材の上端に位置する回動軸を中心に回動可能に構成するとともに、該遮蔽部材にエアシリンダのピストンを連結して、該遮蔽部材をストッパ位置と前記チョッパブレードに対する退避位置との間を移動可能とし、
前記ストッパ位置において前記エアシリンダで該遮蔽部材を前記チョッパテーブル面に押付けるようにして該遮蔽部材下端面と該チョッパテーブル面との隙間をなくすようにしたことを特徴とする請求項１記載のチョッパ折り方法。
【請求項４】
前記隙間領域の前記チョッパテーブル面に前記遮蔽部材を収容可能な穴を穿設して該遮蔽部材を駆動装置によりストッパ位置と前記チョッパブレードに対する退避位置である前記穴との間を移動可能とし、
該遮蔽部材をストッパ位置に配置するに際し該遮蔽部材の下端部を該チョッパテーブル上面より下方に配置して該チョッパテーブル上面と該遮蔽部材との隙間をなくすようにしたことを特徴とする請求項１記載のチョッパ折り方法。
【請求項５】
用紙搬送方向に沿って折込みスリットを具備し搬送されてくる用紙を該折込みスリット上に受け入れるチョッパテーブル、該折込みスリットに用紙を折り込むチョッパブレード、及び該チョッパテーブルの下方に設けられ該折込みスリットから下方へ押し込まれた用紙を用紙搬送方向と平行に折り目を付ける一対の折込みローラからなる折込みユニットと、
該用紙を該チョッパテーブル上で止めるストッパと、
該折込みユニットを用紙搬送方向と直角方向に移動可能とする横移動機構とからなるチョッパ折り装置において、
前記横移動機構による前記折込みスリットの移動幅領域だけ前記ストッパに隙間をもたせ、
前記隙間には前記折込みスリットの移動方向に沿って分割され前記チョッパテーブル上のストッパ位置と前記チョッパブレードに対する退避位置との間を移動可能に構成された複数の分割ストッパを配置したことを特徴とするチョッパ折り装置。
【請求項６】
前記折込みスリットの移動幅領域以外で少なくとも用紙の幅に相当する領域全域に亘り隙間なくストッパを配置したことを特徴とする請求項５記載のチョッパ折り装置。
【請求項７】
２枚重ねの小幅ベルト対を複数間隔を置いて並設し、用紙を該複数の小幅ベルト対で挟んで搬送し、前記チョッパテーブルで前記小幅ベルト対のうち上側ベルトの搬送路を前記ストッパの上方に配置したガイドローラに沿わせて前記ストッパの上方を越えるように構成するとともに、
下側ベルトの搬送路を該ストッパの壁部に該チョッパテーブル上面と同一高さに穿設したスリット孔を通すように構成したことを特徴とする請求項５記載のチョッパ折り装置。
【請求項８】
前記複数の分割ストッパを該分割ストッパの上端に位置する回動軸を中心に回動可能に構成することにより、該分割ストッパをストッパ位置と前記チョッパブレードに対する退避位置との間を移動可能としたことを特徴とする請求項５記載のチョッパ折り装置。
【請求項９】
前記分割ストッパをエアシリンダのピストンに連結し、該エアシリンダにより該分割ストッパを回動させるように構成したことを特徴とする請求項８記載のチョッパ折り装置。
【請求項１０】
前記チョッパテーブル面に前記分割ストッパを収容可能な穴を設け、該分割ストッパを駆動手段によりストッパ位置と前記チョッパブレードに対する退避位置である前記穴との間を移動可能に構成したことを特徴とする請求項５記載のチョッパ折り装置。
【発明の詳細な説明】
【技術分野】
【０００１】
本発明は、印刷機械に併設される折機のチョッパ折り方法及び装置に関し、チョッパテーブル上に搬送されてきた用紙をチョッパテーブル上に穿設された折込みスリットにチョッパブレードで折り込む際に、用紙のばたつきを抑えてキズや破れを防止するようにしたものである。
【背景技術】
【０００２】
従来印刷機において、印刷機から次々に送られてくる印刷済みの用紙に折り目を付けるための装置として、チョッパ折り装置が用いられている。
例えば特許文献１（特許第３６３２００６号公報）の図２には、このチョッパ折り装置が開示されている。このチョッパ折り装置を図４及び図５に基づいて説明する。図４及び５において、印刷された用紙０１は、搬送ベルト０５などの搬送手段により矢印ａの方向からチョッパ折り装置に送られてくる。
【０００３】
チョッパ折り装置は、搬送されてきた用紙０１を受けて停止させるストッパ０２と、ストッパ０２で停止される用紙０１を折り込むチョッパブレード０３とを備えている。用紙０１は、複数（ここでは４本）の小幅な搬送ベルト対０５によって上下に挟まれた状態でチョッパテーブル０７上に搬送されるようになっており、チョッパブレード０３はチョッパテーブル０７の上方に配設され、チョッパテーブル０７のストッパ０２近傍部分に用紙搬送方向と平行に穿設されたスリット０７ａに上方から進入して用紙０１をスリット０７ａに押し込んで折り込むようになっている。またストッパ０２には搬送ベルト０５が走行路を形成するための隙間０２ａが設けられている。
【０００４】
チョッパブレード０３は、チョッパアーム０３ａの先端に装備され、揺動軸０４ａを有するチョッパ駆動機構０４により、チョッパアーム０３ａが揺動駆動されて、用紙０１がストッパ０２に位置に達する直前に、チョッパアーム０３ａに固設されたチョッパブレード０３の先端がスリット０７ａ内に進入するようになっている。その様子を図５に示す。
【０００５】
チョッパ駆動機構０４には、チョッパアーム０３ａの揺動タイミング、即ちチョッパブレード０３先端のスリット０７ａ内への進入タイミング（折りタイミング又はチョッパタイミング）を調節するタイミング調整モータ（タイミング調整手段）０８が付設されている。
下方に押し込められた用紙０１は、折込みローラ０６の２本のロール間に送り込まれ、折込みローラ０６によって搬送されてきた方向と平行に折り目を付けられて、折込みローラ０６の下方に配置された羽根車０９を経て、次の工程の排紙コンベア（図示略）に排出される。
【０００６】
また特許文献２（特許第３４０４０７９号公報）に開示されたチョッパ折り装置は、チョッパテーブル、チョッパブレード及び折込みローラ等で構成されるチョッパユニットを用紙搬送方向と直角な方向（横方向）へ横移動させる横移動機構（サイドレイ）と、またストッパを同時に該横方向に移動させる横移動機構とを具備し、用紙の搬送方向と直角方向の横ずれに対応して、チョッパユニット及びストッパを横方向に移動させるとともに、用紙の横方向移動量に合わせてチョッパユニット及びストッパの横方向移動量を決定するようにした制御手段が開示されている。
【０００７】
【特許文献１】特許第３６３２００６号公報（段落［００２７］から［００２９］及び図２）
【特許文献２】特許第３４０４０７９号公報
【発明の開示】
【発明が解決しようとする課題】
【０００８】
印刷されてチョッパ折り装置に搬送されてくる用紙が、製本のページの真ん中がずれている場合や、後工程の用紙積み重ね工程で折った用紙を開く必要がある場合、開きやすいように用紙を真ん中からずらして折る必要がある。その場合特許文献２に開示されているように、チョッパユニットを横方向へ移動させることにより、折込みスリットの位置を横方向に移動させるサイドレイ（横移動機構）を設け、この装置で折込みスリットを横方向に適宜移動させて用紙を折るようにしている。
【０００９】
図６の（ａ）及び（ｂ）は、前記横移動機構を設けた従来のチョッパ折り装置の平面図及び立面図である。なお図６では、搬送ベルト対０５を省略している。図６に示すように、チョッパブレード０３で用紙０１をスリット０７ａに押し込む場合、必ずチョッパブレード０３の長さを用紙０１の長さより長くし、用紙０１の両端よりチョッパブレード０３の両端を外側に配置する必要がある。なお図中、ストッパ０２はチョッパテーブル０７上に立設された支持板０１０に取り付けられている。
しかしながら、チョッパユニットの横移動領域ｂにストッパ０２があると、チョッパブレード０３の端部がストッパ０２に衝突するため、チョッパブレード０３の端分割ストッパを用紙０１の端部より外側に配置することができない。
【００１０】
そのため本発明者等は、図６（ａ）に示すように、チョッパユニットの横移動領域ｂ内においては、ストッパを取り除き隙間を設けることにより、この問題に対処していた。該隙間は、例えば±１５ｍｍ（合計３０ｍｍ）ほどの隙間を空けていた。
しかしながら近年折り機直角折での用紙搬送速度が、例えば８００ｒｐｍから１０００ｒｐｍと高速化してきており、搬送される用紙の搬送速度が高速化されるにつれ、用紙のばたつき、あばれが激しくなることが判明した。
【００１１】
また本発明者等の検証によれば、用紙の搬送速度が高速化された場合、チョッパユニットの横移動領域ｂ内でストッパを取り除き隙間を設けると、用紙の周囲に気流の乱れが発生し、用紙のチョッパテーブル上でのばたつき、あばれが一層激しくなり、きずや破れが発生するおそれがあることがわかった。
また特許文献１に開示された図４に示すチョッパ折り装置の場合、搬送ベルト対０５を通すための隙間０２ａが設けられているが、このような隙間０２ａもチョッパテーブル０７上の用紙のばたつきやあばれを助長するおそれがある。
【００１２】
本発明は、かかる従来技術の課題に鑑み、チョッパ折り装置において、用紙の搬送速度が増大した場合にも、チョッパテーブル上での用紙のばたつきやあばれを抑えて、きずや破れの発生を防止することができるチョッパ折り方法及び装置を実現することを目的とする。
【課題を解決するための手段】
【００１３】
前記目的を達成するため、本発明のチョッパ折り方法は、
搬送されてくる用紙をストッパによりチョッパテーブル上で止め、該チョッパテーブル面に用紙の搬送方向に沿って穿設され該搬送方向と直角方向に移動可能な折込みスリットにチョッパブレードで用紙を折込み、
該チョッパテーブルの下方に配置された折込みローラによって用紙を搬送されてきた方向と平行に折り目を付けるチョッパ折り方法において、
折込みスリットの用紙搬送方向と直角方向の移動幅領域で前記ストッパに隙間をもたせ、
前記隙間のうち折込みスリットに対応しない隙間領域に遮蔽部材を配置して遮蔽するようにしたことを特徴とする。
【００１４】
本発明方法では、折込みスリットが用紙搬送方向と直角方向に移動する移動幅領域では、チョッパブレードも同じ移動幅で移動するため、ストッパがチョッパブレードの端部に当らないように、従来の固定式ストッパを廃して隙間を設けるようにする。しかし該隙間のうち折込みスリットの位置に対応しない隙間領域に遮蔽部材を配置して遮蔽するようにする。
このように該移動幅領域では、折込みスリットの位置以外の領域では、遮蔽部材で遮蔽することによって、チョッパテーブル上での用紙のばたつきやあばれを極力なくすようにしたものである。
【００１５】
好ましくは、前記移動幅領域以外で少なくとも用紙の幅に相当する領域全域に亘り隙間まくストッパを配置すれば、チョッパテーブル上での用紙のばたつきやあばれをさらに減少させることができる。
折込みスリットに対応しない隙間領域を遮蔽部材で遮蔽する手段として、例えば遮蔽部材を該遮蔽部材の上端に位置する回動軸を中心に回動可能に構成するとともに、該遮蔽部材にエアシリンダのピストンを連結して、該遮蔽部材をストッパ位置と前記チョッパブレードに対する退避位置との間を移動可能とし、ストッパ位置においてエアシリンダで該遮蔽部材をチョッパテーブル面に押付けるようにして該遮蔽部材下端面と該チョッパテーブル面との隙間をなくすようにすれば、該ストッパ部材と該チョッパテーブル上面との隙間をなくして、該隙間への用紙の入り込みを防止でき、該隙間への用紙の入り込みに起因した用紙のきずや破れの発生を防止できる。
【００１６】
折込みスリットに対応しない隙間領域を遮蔽部材で遮蔽する別な手段として、隙間領域のチョッパテーブル面に遮蔽部材を収容可能な穴を穿設して該遮蔽部材を駆動装置によりストッパ位置とチョッパブレードに対する退避位置である前記穴との間を移動可能とし、該遮蔽部材をストッパ位置に配置するに際し該遮蔽部材の下端部を該チョッパテーブル上面より下方に配置して該チョッパテーブル上面と該遮蔽部材との隙間をなくすようにすれば、該チョッパテーブル上面と該ストッパ部材との隙間を完全になくすことができる。
【００１７】
また本発明のチョッパ折り装置は、
用紙搬送方向に沿った折込みスリットを具備し搬送されてくる用紙を該折込みスリット上に受け入れるチョッパテーブル、該折込みスリットに用紙を折り込むチョッパブレード、及び該チョッパテーブルの下方に設けられ該折込みスリットから下方へ押し込まれた用紙を用紙搬送方向と平行に折り目を付ける一対の折込みローラからなる折込みユニットと、
該用紙を該チョッパテーブル上で止めるストッパと、
該折込みユニットを用紙搬送方向と直角方向に移動可能とする横移動機構とからなるチョッパ折り装置において、
前記横移動機構による前記折込みスリットの移動幅領域だけ前記ストッパに隙間をもたせ、
前記隙間には前記折込みスリットの移動方向に沿って分割され前記チョッパテーブル上のストッパ位置と前記チョッパブレードに対する退避位置との間を移動可能に構成された複数の分割ストッパを配置したことを特徴とする。
【００１８】
本発明装置では、折込みユニットの横移動機構による折込みスリットの移動幅領域だけストッパに隙間をもたせ、該隙間には前記構成の複数の分割ストッパを配置したことによって、折込みスリットの移動幅領域において折込みスリットの設置位置以外の領域を分割ストッパで遮蔽することができるので、チョッパテーブル上での用紙のあばれやばたつきを抑えることができる。
なお好ましくは、前記移動幅領域以外で少なくとも用紙の幅に相当する領域全域に亘り隙間なくストッパを配置すれば、チョッパテーブル上での用紙のあばれやばたつきをさらに低減することができる。
【００１９】
本発明装置において、好ましくは、２枚重ねの小幅ベルト対を複数間隔を置いて並設し、用紙を該複数の小幅ベルト対で挟んで搬送し、前記チョッパテーブルで前記小幅ベルト対のうち上側ベルトの搬送路をストッパの上方に配置したガイドローラに沿わせて前記ストッパの上方を越えるように構成するとともに、下側ベルトの搬送路を該ストッパの壁部に該チョッパテーブル上面と同一高さに穿設したスリット孔を通すように構成すれば、折込みスリットの移動幅領域以外で少なくとも用紙の幅に相当する領域全域に亘り隙間なくストッパを配置することができるので、チョッパテーブル上での用紙のあばれやばたつきをさらに低減することができる。
【００２０】
また本発明装置において、分割ストッパを退避位置へ移動可能とする具体的構成として、例えば各分割ストッパを該分割ストッパの上端に位置する回動軸を中心に回動可能に構成することにより、該分割ストッパをストッパ位置とチョッパブレードに接触しない退避位置との間を移動可能とすることができる。
あるいは前記構成に加えて、さらに分割ストッパをエアシリンダのピストンに連結し、該エアシリンダにより該分割ストッパを回動させるように構成してもよい。
あるいはチョッパテーブル面に分割ストッパを収容可能な穴を設け、該分割ストッパを駆動手段によりストッパ位置とチョッパブレードに対する退避位置である該穴との間を移動可能に構成してもよい。
【発明の効果】
【００２１】
本発明方法及び本発明装置によれば、チョッパユニットを用紙の搬送方向と直角方向に移動可能なチョッパ折り装置であっても、折込みスリットの横移動領域において折込みスリットの設置位置に対応した隙間領域以外の領域を遮蔽部材又は分割ストッパで遮蔽可能であるので、チョッパテーブル上での用紙のあばれ、ばたつきを最小限に抑えることができる。
【００２２】
従って用紙の搬送速度が高速化されても、チョッパテーブル上で用紙のきずや破れの発生を防止することができる。好ましくは、折込みスリットの設置位置に対応した隙間領域以外で少なくとも用紙の幅に相当する領域全域に亘り隙間なくストッパを配置すれば、チョッパテーブル上での用紙のあばれやばらつきをさらに効果的に抑えることができる。
【発明を実施するための最良の形態】
【００２３】
以下、本発明を図に示した実施例を用いて詳細に説明する。但し、この実施例に記載されている構成部品の寸法、材質、形状、その相対配置などは特に特定的な記載がない限り、この発明をそれのみに限定する趣旨ではない。
図１の（ａ）は、本発明の第１実施例の平面図、（ｂ）は同じく立面図、図２は、前記第１実施例において、折込みスリットを横移動させたときの平面図、図３は、本発明の第２実施例の立面図である。
【実施例１】
【００２４】
本発明の第１実施例を示す図１において、用紙１は、４対複数の小幅搬送ベルト対５に上下から挟まれた状態でチョッパテーブル７上に搬送される。チョッパテーブル７上には用紙１の搬送方向ａと直角に用紙を遮るようにストッパ２が固定されている。ストッパ２はチョッパテーブル７上に立設された支持板１０に取り付けられている。搬送ベルト対５の上部ベルト５ａは、チョッパテーブル７又は固定ストッパ２の上方に設けられたガイドロール１１、１２及び１３によって搬送され、固定ストッパ２の上方に迂回した搬送路を形成する。
【００２５】
搬送ベルト対５の下部ベルト５ｂは、ストッパ２に取り付けられたガイド部材１４の下部にチョッパテーブル上面と同じ高さに穿設されたスリット孔１４ａ及び同様の高さでストッパ２に穿設されたスリット孔２ａを通ってガイドロール１３にガイドされる。ガイド部材１４は、ガイドロール１１及び上部ベルト５ａを収容する凹部１４ｂを有し、上部ベルト５ａをガイドする機能を有するとともに、ガイド部材１４の下面はチョッパテーブル上面との間に約３ｍｍほどの隙間をもって用紙１が該隙間を通ってストッパ２にあたるようになっている。
【００２６】
チョッパブレード３は、チョッパテーブル７の上方に配設され、チョッパテーブル７のストッパ２近傍部分に用紙搬送方向と平行に穿設された折込みスリット７ａに上方から進入して用紙１を折込みスリット７ａに押し込んで折り込むようになっている。
なおチョッパブレード３がチョッパアーム３ａの先端に装備され、図示しない揺動軸を有するチョッパ駆動機構により、チョッパアーム３ａが揺動駆動されて、用紙１がストッパ２に位置に達する直前に、チョッパアーム３ａに固設されたチョッパブレード３の先端がスリット７ａ内に進入するようになっている。その様子は図５に示すとおりである。
【００２７】
折込みスリット７ａの下方には、図５に示すように、折込みスリット７ａと同一方向に一対の折込みローラ０６が設けられ、折込みスリット７ａに押し込まれた用紙１を２本のロール間に挟んで用紙搬送方向と平行に折り目を付け、折込みローラ０６の下方に配置された羽根車０９を経て、次の工程の排紙コンベアに排出する。
【００２８】
本実施例では、チョッパテーブル７、チョッパブレード３及び折込みローラからなるチョッパユニットを用紙搬送方向と直角な方向（横方向）へ横移動させる横移動機構（図示略）が設けられ、必要に応じて用紙１の折り目を中心からずらすことができる。
例えば製本のページの真ん中がずれている場合や、後工程の用紙積み重ね工程で用紙を開く必要がある場合開きやすくするために、チョッパユニットを横方向に移動させて用紙１の折り目を中心からずらすようにする。
【００２９】
用紙１は、チョッパテーブル７上に固定されたストッパ２によって停止されるが、チョッパブレード３の両端が常に用紙１の両端より外側に位置する必要があるため、チョッパユニットの移動領域ｂに固定ストッパ２を設けると、チョッパブレード３が固定ストッパ２に当ってしまうため、固定ストッパ２を設けず、隙間を形成してある。しかし隙間を形成しておくと、前述のように、用紙搬送速度が高速化された場合、用紙のばたつき、あばれを生じさせ、用紙にきずや破れを発生させてしまう。
【００３０】
そこで本実施例では、その隙間に３個（個数は隙間ｂの寸法に応じて適宜に選定される。）の分割されたストッパ部材２１、２２及び２３を配置する。分割ストッパ２１、２２及び２３は、図１（ｂ）に示すように、両側の固定ストッパ２に回動軸２７を中心に回動可能に構成されており。かつそれぞれエアシリンダ２４、２５及び２６のピストンと連結されている。かかる構成により、分割ストッパ２１、２２又は２３は、エアシリンダ２４、２５又は２６により駆動され、上方に回動して直立した状態でストッパ２の裏側に立設された支持板１０の上面に接して停止する。
【００３１】
従って横移動機構によって折込みスリット７ａが移動された位置に対応する分割ストッパを前述のように上方に回動させてチョッパブレード３と接触しない退避位置に置くことによって、チョッパブレード３との衝突を回避することができるとともに、折込みスリット７ａの設置位置以外の移動幅領域ｂでは、分割ストッパを固定ストッパ２と同一の高さ及び同一の並びに設置しておくことができるため、用紙１のばたつき、あばれを最小限に抑えることができる。
【００３２】
図２は、図１と比べて横移動機構によって折込みスリット７ａの位置を変えた場合を示す平面図である。なお図２は、搬送ベルト対５、ガイドロール１１、１２、１３及びガイド部材１４を省略している。この場合折込みスリット７ａの設定位置に対応する分割ストッパ２１をエアシリンダ２４によって駆動してストッパ位置（チョッパブレード３との衝突位置）から回避できる退避位置に置くようにしている。このように分割ストッパ２１のみ後方に移動し、他の分割ストッパ２２及び２３は固定ストッパ２と同一の並びに配置されているので、固定ストッパ２間の隙間を最小限にすることができ、従って隙間の存在により発生する用紙のばたつき、あばれを最小限に抑えることができる。
【００３３】
また本実施例では、用紙１を搬送する複数の搬送ベルト対５のうち、上部ベルト５ａの搬送路をガイドロール１１、１２及び１３によって固定ストッパ２の上方を迂回するように形成するとともに、下部ベルト５ｂを固定ストッパ２及び支持板１０の下端部に設けたスリット孔１４ａ及び２ａを通してガイドロール１３にガイドさせているので、固定ストッパ２に隙間を設ける必要がなく、用紙１が当る固定ストッパ２の全長に亘って隙間がないので、用紙のばたつき、あばれをさらに抑えることができる。
【００３４】
また本実施例においては、エアシリンダ２４〜２６の圧縮空気力により各分割ストッパ２１〜２３の下面をチョッパテーブル面に押付けることにより、チョッパテーブル面との隙間をなくすことができ、それによって用紙がその隙間に入り込んで、用紙にキズや破れを生じるのを防止することができる。
【実施例２】
【００３５】
次に本発明の第２実施例を図３に基づいて説明する。図３は、前記第１実施例の図１（ｂ）に対応する立面図であり、図において、チョッパテーブル面７に分割ストッパ３０を収容するための穴３２を設け、該穴３２に分割ストッパ３０にピストンが連結されたエアシリンダ３１を埋設しておき、該エアシリンダ３１を駆動することにより、分割ストッパ３０をチョッパテーブル面７上に突出させたストッパ位置と穴３２内に収容したチョッパブレード３からの退避位置３０’との間で移動可能に構成している。
【００３６】
なお本実施例において、ガイドロール１１、１２及び１３やガイド部材１４の設置などその他の構成は、前記第１実施例と同一である。
このように第２実施例によれば、横移動機構による折込みスリット７ａの移動量域の固定ストッパ２間の隙間を最小限にでき、かつガイドロール１１、１２及び１３の設置により、固定ストッパ２の全長に亘り隙間を設ける必要がないため、用紙のチョッパテーブル上でのあばれ、ばたつきを最小限に抑えることができるほか、分割ストッパ３０の下端部を若干穴３２の内部に位置させることにより、チョッパテーブル上面と分割ストッパ３０との隙間を完全になくすことができるので、該隙間へ用紙が入り込むことがなく、それによるきずや破れを生じることがない。
【産業上の利用可能性】
【００３７】
本発明によれば、印刷機におけるチョッパ折り装置のチョッパテーブル上での用紙のばたつきやあばれを最小限に抑えることができるので、用紙の搬送速度が高速化された場合でも、用紙のきずや破れを簡単な構成で効果的に防止することができる。
【図面の簡単な説明】
【００３８】
【図１】（ａ）は本発明の第１実施例の平面図、（ｂ）は同じく立面図である。
【図２】前記第１実施例において、折込みスリットを横移動させたときの平面図である。
【図３】本発明の第２実施例の立面図である。
【図４】従来のチョッパ折り装置の斜視図である。
【図５】前記従来装置の側断面図である。
【図６】（ａ）はチョッパユニットの横移動機構を具備した従来のチョッパ折り装置の平面図、（ｂ）は同じく立面図である。
【符号の説明】
【００３９】
０１、１    用紙
０２、２    固定ストッパ
２ａ、１４ａ    スリット孔
０３、３    チョッパブレード
０５、５    搬送ベルト対
５ａ    上部ベルト
５ｂ    下部ベルト
０６    折込みローラ
０７、７    チョッパテーブル
０７ａ、７ａ    折込みスリット
１１、１２、１３    ガイドロール
２１、２２、２３、３０    分割ストッパ
２４、２５、２６、３１    エアシリンダ
２７    回動軸
３２    穴
【図１】
2007314326.tif 000003
【図２】
2007314326.tif 000004
【図３】
2007314326.tif 000005
【図４】
2007314326.tif 000006
【図５】
2007314326.tif 000007
【図６】
2007314326.tif 000008